(57)【特許請求の範囲】
【請求項１】
カメラ本体における前側部分を構成する前シャーシ部材と、
前記カメラ本体の後側部分を構成し、前記前シャーシ部材と結合される後シャーシ部材と、
前端にレンズマウントが固定され、後端に撮像素子が固定されることでフランジバックを決定する中央シャーシ部材とを有し、
前記中央シャーシ部材は、前記前シャーシ部材と前記後シャーシ部材との間に配置され、前記後シャーシ部材に固定されることなく、前記前シャーシ部材に固定されることを特徴とするカメラ。
【請求項２】
前記前シャーシ部材および前記後シャーシ部材は、それぞれ金属によって形成され、電気的グランドと接続されることを特徴とする請求項１に記載のカメラ。
【請求項３】
前記前シャーシ部材と前記後シャーシ部材との間で、前記前シャーシ部材と結合されるとともに、前記後シャーシ部材とも結合される連結シャーシ部材を有し、
前記中央シャーシ部材は、前記前シャーシ部材と前記後シャーシ部材との間で、前記連結シャーシ部材によって挟まれるように配置されることを特徴とする請求項１または２に記載のカメラ。
【請求項４】
前記中央シャーシ部材と前記連結シャーシ部材との間に電気実装部品を配置することを特徴とする請求項３に記載のカメラ、
【請求項５】
アクセサリーシューが固定される外装部材を固定保持する補強部材を有し、
前記補強部材は前記後シャーシ部材に固定されることを特徴とする請求項１ないし４のいずれか１項に記載のカメラ。
【発明の詳細な説明】
【０００１】
【発明の属する技術分野】
本発明は、一眼レフタイプのデジタルカメラに関するものである。
【０００２】
【従来の技術】
従来の一眼レフカメラの本体は、例えば実開昭６２−１１３３４１号公報にて提案されているように、フィルムカートリッジを収納するカートリッジ室部とフィルム巻き上げを行うスプールが収容されたスプール室部とこれらカートリッジ室部およびスプール室部を連結しフィルムレール面を構成する連結部とからなる主本体部材と、この主本体部材のレンズマウント側の強度不足を補うための連結部材と、前端面にレンズ装置が着脱可能に装着されるマウント部材が取り付けられたミラーボックスとを結合させて構成されている。
【０００３】
ミラーボックスには、上記マウント部材と、撮影光路に対して進退可能で撮影光路内に配置されたときにレンズからの光束を反射してファインダー光学系に導くミラー機構とが取り付けられている。
【０００４】
【発明が解決しようとする課題】
このように、カメラ本体がフィルム面の位置を決めるレール面を有する主本体部材と、マウント部材を保持するミラーボックスとに分割された構成となっていると、これら主本体部材とミラーボックスとを結合させても、レンズマウント面からフィルム面までの距離であるフランジバックを精度良く設定することが難しい。
【０００５】
このため、例えば、主本体部材とミラーボックスとを結合させた後に、主本体部材のレール面を切削加工してフランジバックの精度を出すというように、フランジバック調整に特別な作業が必要となり、コストアップの要因にもなっている。  また、主本体部材がモールド部材で成形されていると、上記レール面の切削加工ができないために、主本体部材とミラーボックスとを結合させるときに、両者の結合部の間にワッシャ等を挟み込んでフランジバック調整をする必要があり、さらに手間がかかる作業を行わなければならない。
【０００６】
しかも、このようにしてフランジバック調整を行っても、撮影レンズの先端に荷重がかかり、ミラーボックスと主本体部材との位置関係がずれると、フランジバックが簡単に変化してしまうこととなる。
【０００７】
一方、デジタルカメラにおいては、速いクロックのＣＰＵを搭載すること等により、発生するノイズも多くなっている。しかしながら、従来のカメラ本体はプラスチック材料にて形成されることが多いため、これを効果的に抑えることが難しい。
【０００８】
このため、カメラ本体を金属で形成することが考えられるが、カメラ本体の形状が複雑であるため、アルミダイキャストで形成したりマグネシウム合金で成形したりしなければならず、カメラ本体が大変コストの高いものとなってしまうとともに、構造上、カメラ全体を金属で覆うには至らず、ノイズ対策としては十分とは言えない。
【０００９】
そこで、本発明は、フランジバックを容易に確保でき、かつレンズ装置に外力が加わってもその影響をほとんど受けず、さらには十分なノイズ対策が得られるカメラを提供することを目的としている。
【００１０】
【課題を解決するための手段】
上記の目的を達成するために、本発明のカメラは、カメラ本体における前側部分を構成する前シャーシ部材と、前記カメラ本体の後側部分を構成し、前記前シャーシ部材と結合される後シャーシ部材と、前端にレンズマウントが固定され、後端に撮像素子が固定されることでフランジバックを決定する中央シャーシ部材とを有し、前記中央シャーシ部材は、前記前シャーシ部材と前記後シャーシ部材との間に配置され、前記後シャーシ部材に固定されることなく、前記前シャーシ部材に固定されることを特徴とする。
【００１１】
これにより、レンズマウントに装着されたレンズ装置に外力が加わってカメラ本体にこれを変形させるような力が作用しても、フランジバックを決めるレンズマウントと撮像素子とがともに中央シャーシ部材に取り付けられているため、フランジバックが変化し難い。そして、中央シャーシ部材を、後シャーシ部材に固定することなく、レンズマウントに近い位置となる前シャーシ部材に固定するので、レンズ装置に加わった外力によるカメラ本体への影響をより少なくすることができる。
【００１７】
【発明の実施の形態】
図１〜図４には、本発明の実施形態である一眼レフデジタルカメラの構成を示している。これらの図において、１は金属板をプレス成形して作られた前シャーシ（前本体部材）で、カメラ本体の前側部分を構成する部材である。
【００１８】
また、２は金属板をプレス成形して作られた後シャーシ（後本体部材）で、カメラ本体の後側部分を構成する部材である。これら前シャーシ１および後シャーシ２について、使用する金属としては、アルミ、鉄、ステンレス等が考えられ、板厚としては０．８ｍｍ〜２ｍｍ程度を使用し、材質と強度の関係から最適な板厚を選択すればよい。
【００１９】
なお、前シャーシ１および後シャーシ２をプレス部品とすることにより、コストが安くて強度の強いシャーシ部品とすることができる。なお、前シャーシ１および後シャーシ２をダイキャスト、チクソモールデイング等で製作してもよい。
【００２０】
さらに、前シャーシ１および後シャーシ２は電気的グランドに対して導通がとられている。
【００２１】
３，４は前シャーシ１と後シャーシ２の左右部分を相互に連結する連結シャーシ（連結部材）である。これら連結シャーシ３，４は、ビス１５，１６，１７，１８によって前シャーシ１と後シャーシ２に取り付けられている。これら連結シャーシ３，４は、プラスチック材料で成形するとコストが安く、金属材料で成形すると強度、耐ノイズ性能が高い部品となる。
【００２２】
なお、前シャーシ１の下端部には、後方に延びる底面部１ａ，１ｂが形成されており、連結シャーシ３，４を介して一体化された前シャーシ１と後シャーシ２は、さらに底面部１ａ，１ｂと後シャーシ２の下端部２ａとが直接ビス１９によって連結される（図３参照）。
【００２３】
５は前シャーシ１と後シャーシ２の間における両連結シャーシ３，４の間（連結シャーシ３，４に近接する位置）に配置された中央シャーシ（主シャーシ部材）である。この中央シャーシ５には、レンズマウント（レンズ保持手段）６と、後述するミラーユニット３１と、ファインダー光学系（ピント板３２を含む）３３と、撮像素子７と、シャッターユニット１０と、焦点検出ユニット３５とが取り付けられている。また、この中央シャーシ５は、ビス止め部５ａ，５ｂにおいて前シャーシ１にビス１４により固定される。
【００２４】
レンズマウント６は中央シャーシ５の前端に取り付け固定されており、このレンズマウント６の前面（マウント面）には、図示しないレンズ装置がバヨネット機構等によって着脱可能に装着される。このレンズマウント６にレンズ装置が装着されることにより、一眼レフタイプの撮像システムが構成される。
【００２５】
撮像素子７は、ＣＣＤ等により構成されており、レンズマウント６に装着されたレンズ装置を通じて受光した被写体光を光電変換する。
【００２６】
８は撮像素子７を接着等で固定保持し、中央シャーシ５の後端にビス固定された撮像素子保持部材である。
【００２７】
９は撮像素子７の電気的な出力を伝達するためのリード７ａが半田付け接続された基板であり、図示しないメイン回路基板に撮像素子７の出力を伝達する。
【００２８】
１０はレンズマウント６に装着されたレンズ装置から撮像素子７に入射する光量を制限するフォーカルプレーンシャッタであり、中央シャーシ５の後部における撮像素子７の前側に固定されている。
【００２９】
図４中、１１は金属の補強部材であり、ファインダー光学系３３の上方およびファインダー接眼部１３の背面を覆い、外部ストロボを着脱可能に取り付けるためのアクセサリーシュー１２が固定された上部外装部材２１を固定保持する。この補強部材１１は、上部外装部材２１とともに後シャーシ２に固定される。このように構成することで、アクセサリーシユー１２とファインダー接眼部１３が後シャーシ２に補強部材１１を介して連結されることとなり、これらアクセサリーシユー１２およびファインダー接眼部１３周辺の強度が高まる。また、補強部材１１は、後シャーシ２を介してグランド接続されるため、カメラ上部からのノイズ漏れ低減効果を得ることができる。
【００３０】
なお、ファインダー接眼部１３は、ファインダー光学系３３の構成要素の１つである接眼レンズを保持するとともに、ファインダー系のアクセサリー（アイピース等）を着脱可能に保持することができる。
【００３１】
ミラーユニット３１は、撮影光路におけるシャッタユニット１０の前側の位置に対して進退（ダウン・アップ）可能なメインミラー３１ａと、このメインミラー３１ａの背後に配置されてメインミラー３１ａに対して展開・折り畳み可能なサブミラー３１ｂと、これらメインミラー３１ａおよびサブミラー３１ｂを駆動する駆動機構（図示せず）とから構成される。
【００３２】
メインミラー３１ａは、撮影光路内に配置された状態（ミラーダウン）で、レンズマウント６に装着されたレンズ装置からの被写体光束をファインダー光学系３３に向けて反射させる。このメインミラー３１ａにはレンズ装置からの光束の一部を透過するハーフミラーが用いられており、この透過した光束がメインミラー３１ａに対して展開したサブミラー３１ｂによって焦点検出ユニット３５に向けて反射される。
【００３３】
なお、メインミラー３１ａが撮影光路外に待避した状態（ミラーアップ）では、レンズ装置からの被写体光束はそのままシャッタユニット１０や撮像素子７の側に向かう。また、このとき、サブミラー３１ｂはメインミラー３１ａに対して折り畳まれる。
【００３４】
３２はファインダー光学系３３の構成要素の１つであるピント板であり、ミラーユニット３１によって反射された被写体光束がこのピント板３２上で焦点を結ぶようになっている。これにより、撮影者による被写体のファインダー観察が可能になる。
【００３５】
３４はファインダー光学系３３の構成要素の１つであるペンタプリズムであり、ピント板３２に結像した被写体像をファインダー接眼部１３に導く。
【００３６】
４０は電気実装部品であり、連結シャーシ３と中央シャーシ５の間に配置されている（連結シャーシ３に固定保持されている）。なお、これ以外にも電気実装部品があるが、これらはすべて各シャーシ１〜３の間に形成される隙間に配置されている。
【００３７】
以上のように構成されるカメラ本体では、図２に示す組み立て完了状態にて、前シャーシ１と後シャーシ２とが、中央シャーシ５の左右にて連結シャーシ３，４を介して強固にビス結合されるとともに、それぞれの下端部（底部１ａおよび下端部２ａ）同士も強固にビス結合される。つまり、前シャーシ１、後シャーシ２および連結シャーシ３，４は、中央シャーシ５を取り囲む形でしっかりとした箱形状に一体化される。そして、中央シャーシ５も、箱形状に一体化されたシャーシ構造のうちの前シャーシ１に強固にビス結合されている。このため、全体としてきわめて強度が高いシャーシ構造を実現することができる。
【００３８】
しかも、前シャーシ１と後シャーシ２と補強部材１１が金属により作られ、かつこれら金属部材がすべて電気的グランドと導通しているため、シャーシ内の電気実装部品（４０等）から発生するノイズがカメラ外部に漏れ出すのを効果的に遮断することができる。
【００３９】
なお、連結シャーシ３，４を金属部材で作れば、強度およびノイズ低減効果がより高まる。
【００４０】
また、フランジバックを決定するレンズマウント６と撮像素子７とがともに中央シャーシ５に取り付けられているため、レンズマウント６に装着されたレンズ装置が外力を受け、この力がカメラ本体側に伝わった場合でも、フランジバックは変化しにくい。つまり、フランジバックに対して外部からの静圧による影響を受けにくい。
【００４１】
また、中央シャーシ５がレンズ装置に近い前シャーシ１に結合されているので、後シャーシ２に結合された場合に比べて、中央シャーシ５はレンズ装置からの力の影響を受けにくい。
【００４２】
しかも、レンズマウント６および撮像素子７のほか、ミラーユニット３１、ピント板３２を含むファインダー光学系３３、焦点検出ユニット３５がすべて中央シャーシ５に固定されており、上記フランジバックに加えて、レンズマウント６からファインダー光学系３３のピント板３２までの距離やレンズマウント６から焦点検出ユニット３５までの距離も中央シャーシ５との関係で決定されている。
このため、レンズマウント６に装着されたレンズ装置が外力を受け、この力がカメラ本体側に伝わった場合でも、上記３つの距離の関係はほとんど影響を受けず、上記３つの距離の関係に崩れが生じない。
【００４３】
以上により、外部からの静圧による影響をほとんど受けない、静圧に非常に強いカメラ本体を実現することができる。
【００４４】
なお、上記実施形態では、中央シャーシ５を前シャーシ１にのみ結合させた場合について説明したが、後シャーシ２にのみ結合させたり、前および後シャーシ１，２の双方に結合させるようにしてもよい。
【００４５】
また、上記実施形態では、後シャーシ２に補強部材１１を取り付けた場合について説明したが、前シャーシ１に補強部材を取り付けてもよいし、両シャーシ１，２にまたがるように補強部材を取り付けてもよい。
【００４６】
【発明の効果】
以上説明したように、本発明によれば、レンズ保持手段に装着されたレンズ装置に外力が加わってカメラ本体にこれを変形させるような力が作用しても、フランジバックを決めるレンズ保持手段と撮像手段とがともに主シャーシ部材に取り付けられているため、フランジバックが変化することを防止でき、かつ、主シャーシ部材を、前シャーシ部材および後シャーシ部材のうちレンズ装置に近い前シャーシ部材にのみ固定しているので、レンズ装置に加わった外力によるカメラ本体への影響をより少なくすることができる。
【００４８】
また、前本体部材と後本体部材とを連結する連結部材を設けることにより、カメラ本体全体の強度を高めることができる。
【００４９】
さらに、主本体部材に、ファインダー光学系（ピント板を含む）と、レンズ装置からの光束を反射してファインダー光学系に導くミラーユニットとを取り付けたり、さらにミラーユニットからの光束を用いて焦点検出を行う焦点検出手段とを取り付けたりすれば、レンズ装置に加わった外力によって上記二者若しくは三者間の距離が変化することを防止することができる。
【００５０】
また、レンズ保持手段に装着されたレンズ装置に外力が加わってカメラ本体にこれを変形させるような力が作用しても、フランジバックを決めるレンズ保持手段と撮像手段とがともに主シャーシ部材に取り付けられているため、フランジバックが変化することを防止でき、かつ前シャーシ部材および後シャーシ部材を金属部品で構成してこれらシャーシ部材を電気的グランドに導通させるようにして、これらシャーシ部材の間に電気実装部品を配置した場合にこの電気実装部品から発生してカメラ外部に漏れ出すノイズを低減させることができる。
【００５１】
また、レンズ保持手段に装着されたレンズ装置に外力が加わってカメラ本体にこれを変形させるような力が作用しても、フランジバックを決めるレンズ保持手段と撮像手段とがともに主シャーシ部材に取り付けられているため、フランジバックが変化することを防止でき、かつ前シャーシ部材若しくは後シャーシ部材に金属製の補強部材を取り付け、この補強部材によって、ストロボ装置その他のアクセサリが着脱可能なアクセサリ装着部が固定される外装部材を支持するようにして、アクセサリ装着部の周辺の強度を高めることができるとともに、ノイズ低減の効果も得ることができる。
【図面の簡単な説明】
【図１】本発明の実施形態である一眼レフカメラのカメラ本体の構造を示す平面分解図。
【図２】上記カメラ本体の組み立て完了状態を示す平面図。
【図３】上記カメラ本体の構造を示す側面分解図。
【図４】上記カメラ本体の上部の分解図。
【符号の説明】
１  前シャーシ
２  後シャーシ
３，４  連結シャーシ
５  中央シャーシ
６  レンズマウント
７  撮像素子
８  撮像素子保持部材
９  基板
１０  フォーカルプレーンシャッタ
１１  金属の補強部材
１２  アクセサリーシュー
１３  ファインダー接眼部
１５〜１９  ビス
２１  上部外装部材
３１  ミラーユニット
３２  ピント板
３３  ファインダー光学系
３４  ペンタプリズム
３５  焦点検出ユニット
【図１】
0004548903.tif 000002
【図２】
0004548903.tif 000003
【図３】
0004548903.tif 000004
【図４】
0004548903.tif 000005